(57)【要約】【課題】  本発明はビームフォーミング伝送の方法を提供する。【解決手段】  本発明は、以下のステップを含む：基地局はDwPTSスロットに搭載される、ビームフォーミング伝送を必要とするユーザのダウンリンクデータおよびユーザ専用の参照信号を、予定マッピング構成にしたがってマッピングし、ビームフォーミング処理を行う；前記基地局は前記フォーミング処理の結果、主同期信号、制御シグナリング、セル専用の参照信号および他のユーザデータをリソースマッピングし、前記DwPTSスロットデータを作成する；前記基地局は前記DwPTSスロットデータを端末に送信する。また本発明はビームフォーミング伝送のシステムおよび対応する装置が公開される。本発明は特殊スロットDwPTSにてビームフォーミング伝送を実現し、システム性能を向上することができるとともに、新たなユーザ専用の参照信号のマッピング構成を導入する必要がなくなり、その実現が簡単である。【選択図】  図４
2011523540.tif 000002
【特許請求の範囲】
【請求項１】
ビームフォーミング伝送の方法であって、
基地局は、DwPTSスロットに搭載される、ビームフォーミング伝送を必要とするユーザのダウンリンクデータおよびユーザ専用の参照信号を、予定マッピング構成にしたがってマッピングし、ビームフォーミング処理を行うことと、
前記基地局は、前記フォーミング処理の結果、主同期信号、制御シグナリング、セル専用の参照信号および他のユーザデータをリソースマッピングし、前記DwPTSスロットデータを作成することと、
前記基地局は、前記DwPTSスロットデータを端末に送信することを含むことを特徴とするビームフォーミング伝送の方法。
【請求項２】
前記予定マッピング構成がDwPTSスロットに搭載されるOFDM符号数に依存することを特徴とする請求項１に記載のビームフォーミング伝送の方法。
【請求項３】
前記DwPTSスロットに搭載されるOFDM符号数は、前記OFDM符号のサイクルプレフィックスCPの類型および前記DwPTSスロットの具体的な配置に依存し、前記基地局は前記サイクルプレフィックスCPの類型および前記DwPTSスロットの具体的な配置に基づいて、前記DwPTSスロットの長さT、および１つのOFDM符号の長さToを確定し、前記DwPTSスロットに搭載されるOFDM符号数ｎをｎ＝T／Toにより取得することを特徴とする請求項２に記載のビームフォーミング伝送の方法。
【請求項４】
前記予定マッピング構成に従ったマッピングは、
前記基地局は、前記サイクルプレフィックスCPの類型に基づいて、ユーザ専用の参照信号のマッピング構成を確定するステップと、
前記基地局は、前記ユーザ専用の参照信号のマッピング構成におけるｎ個目以後のOFDM符号を打ち消し、前記ユーザ専用の参照信号のマッピング構成における前ｎ個のOFDM符号のみを保留して前記予定マッピング構成とするステップと、
前記基地局は、該ユーザに割り当てる物理リソースブロックにおいて、前記ダウンリンクデータおよびユーザ専用の参照信号を、前記予定マッピング構成に従ってマッピングするステップを含むことを特徴とする請求項３に記載のビームフォーミング伝送の方法。
【請求項５】
前記制御シグナリングが前記DwPTSスロットにおける１つ目あるいは、１つ目および２つ目のOFDM符号で伝送され、前記主同期信号が前記DwPTSスロットにおける３つ目のOFDM符号の中心の７２個のサブキャリアで伝送されることを特徴とする請求項４に記載のビームフォーミング伝送の方法。
【請求項６】
ビームフォーミング伝送の方法であって、
端末は、基地局がダウンリンク送信したDwPTSスロットデータを受信し、その中で、前記DwPTSスロットデータにはフォーミング処理の結果、主同期信号、制御シグナリング、セル専用の参照信号および他のユーザデータが含まれ、
前記フォーミング処理の結果は、前記基地局が、前記DwPTSスロットに搭載された、ビームフォーミング伝送を必要とするユーザダウンリンクデータおよびユーザ専用の参照信号を、予定マッピング構成にしたがってマッピングし、ビームフォーミング処理を行うことで得られることを特徴とするビームフォーミング伝送の方法。
【請求項７】
前記予定マッピング構成が前記DwPTSスロットに搭載されるOFDM符号数に依存することを特徴とする請求項６に記載のビームフォーミング伝送の方法。
【請求項８】
前記DwPTSスロットに搭載されるOFDM符号数は、前記OFDM符号のサイクルプレフィックスCPの類型および前記DwPTSスロットの具体的な配置に依存し、前記基地局は前記サイクルプレフィックスCPの類型および前記DwPTSスロットの具体的な配置に基づいて、前記DwPTSスロットの長さT、および１つのOFDM符号の長さToを確定し、前記DwPTSスロットに搭載されるOFDM符号数ｎをｎ＝T／Toにより取得することを特徴とする請求項７に記載のビームフォーミング伝送の方法。
【請求項９】
前記予定マッピング構成に従ったマッピングは、
前記基地局は、前記サイクルプレフィックスCPの類型に基づいて、ユーザ専用の参照信号のマッピング構成を確定するステップと、
前記基地局は、前記ユーザ専用の参照信号のマッピング構成におけるｎ個目以後のOFDM符号を打ち消し、前記ユーザ専用の参照信号のマッピング構成における前ｎ個のOFDM符号のみを保留して予定マッピング構成とするステップと、
前記基地局は、該ユーザに割り当てる物理リソースブロックにおいて、前記ダウンリンクデータおよびユーザ専用の参照信号を、前記予定マッピング構成に従ってマッピングするステップを含むことを特徴とする請求項８に記載のビームフォーミング伝送の方法。
【請求項１０】
前記制御シグナリングが前記DwPTSスロットにおける１つ目あるいは、１つ目および２つ目のOFDM符号で伝送され、前記主同期信号が前記DwPTSスロットにおける３つ目のOFDM符号の中心の７２個のサブキャリアで伝送されることを特徴とする請求項９に記載のビームフォーミング伝送の方法。
【請求項１１】
ビームフォーミング伝送のシステムであって、
基地局および少なくとも１つの端末を含み、
前記基地局は、DwPTSスロットに搭載された、ビームフォーミング伝送を必要とするユーザのダウンリンクデータおよびユーザ専用の参照信号を、予定マッピング構成にしたがってマッピングし、ビームフォーミング処理を行い、さらに前記フォーミング処理の結果、主同期信号、制御シグナリング、セル専用の参照信号と他のユーザデータを、前記DwPTSスロットデータを作成するために、リソースマッピングし、
前記端末は、前記DwPTSスロットデータを受信するために使われることを特徴とするビームフォーミング伝送のシステム。
【請求項１２】
基地局であって、
データ処理モジュールおよび送信モジュールを含み、
前記データ処理モジュールは、DwPTSスロットに搭載される、ビームフォーミング伝送を必要とするユーザのダウンリンクデータおよびユーザ専用の参照信号を、予定マッピング構成にしたがってマッピングし、ビームフォーミング処理を行い、さらに前記フォーミング処理の結果、主同期信号、制御シグナリング、セル専用の参照信号と他のユーザデータを、前記DwPTSスロットデータを作成するために、リソースマッピングし、
前記送信モジュールは、前記データ処理モジュールにて得られた前記DwPTSスロットデータを端末に送信することを特徴とする基地局。
【請求項１３】
前記データ処理モジュールは、判断モジュール、リソースマッピングモジュールおよびフォーミング処理モジュールを含み、
前記判断モジュールは、DwPTSスロットに搭載されたOFDM符号数を取得し、前記OFDM符号のサイクルプレフィックスCPの類型および前記DwPTSスロットの具体的な配置に基づいて、前記DwPTSスロットの長さTおよび１つのOFDM符号の長さToを確定し、前記DwPTSスロットに搭載されたOFDM符号数ｎをｎ＝T/Toにより取得し、
前記リソースマッピングモジュールは、DwPTSスロットに搭載された、ビームフォーミング伝送を必要とするユーザのダウンリンクデータおよびユーザ専用の参照信号を予定マッピング構成に従ってマッピングし、前記フォーミング処理モジュールによってフォーミング処理の結果を取得し、さらに前記フォーミング処理の結果、主同期信号、制御シグナリング、セル専用の参照信号と他のユーザデータを、前記DwPTSスロットデータを作成するために、リソースマッピングし、
前記フォーミング処理モジュールは、前記リソースマッピングモジュールによって予定マッピング構成に従ってマッピングした、ダウンリンクデータおよびユーザ専用の参照信号に対してフォーミング処理を行うことを特徴とする請求項１２に記載の基地局。
【請求項１４】
前記リソースマッピングモジュールはさらに、構成選択モジュールおよび構成マッピングモジュールを含み、
前記構成選択モジュールは、前記サイクルプレフィックスCPの類型に基づいて、ユーザ専用の参照信号のマッピング構成を確定するために使われ、
前記構成マッピングモジュールは、前記ユーザ専用の参照信号のマッピング構成におけるｎ個以後のOFDM符号を打ち消して、前記ユーザ専用の参照信号のマッピング構成における前ｎ個のOFDM符号のみを保留して予定マッピング構成とし、
さらに前記ダウンリンクデータとユーザ専用の参照信号を、ユーザに割り当てた物理リソースブロック上で予定マッピング構成にしたがってマッピングするために使われることを特徴とする請求項１３に記載の基地局。
【発明の詳細な説明】
【技術分野】
【０００１】
本発明は移動通信分野に関し、具体的に、本発明は移動通信マルチアンテナ技術分野に関する。
【背景技術】
【０００２】
物理層のマルチアンテナ技術は次世代の無線通信システムにおける決定的な技術の１つとなった。マルチアンテナ技術は多くの利点を持ち、例えばマルチアンテナの多重利得を利用してシステムのトラフィックを拡大し、マルチアンテナのダイバーシティ利得を利用してシステム性能を向上し、アンテナの指向性利得を利用してユーザを区分しユーザ間の干渉を解消することなどがある。３GPP（３ｒｄ Generation Partnership Project：第３世代のパートナーシッププロジェクト）におけるLTE（Long Term Evolution, 長期進化）システムは伝送ダイバーシティ、空間多重技術、およびビームフォーミングなどの多種のMIMO（Multiple-Input Multiple-Output, マルチインプットマルチアウトプット）技術をサポートしている。
【０００３】
現在、LTEにおけるFDD（Frequency Division Duplex, 周波数分割複信）およびTDD（Time Division Duplex, 時分割複信）のフレーム構成は１ｍｓのサブフレーム（Subframe）構成を採用する。その中では、図１に示すように、TDDフレーム構成を示す図である。各TDD無線フレーム（One radio frame）のハーフフレーム（half frame）は５つのサブフレームよりなり、各サブフレームは１ｍｓであり、各サブフレームは２つの0.5msのスロット（Slot）よりなる。
【０００４】
アプリンク・ダウンリンクの切り替え周期が５ｍｓとなるシステムに対して、各ハーフフレームは４つの１ｍｓ長のサブフレーム（Subframe）と３つの特殊スロット（Special Slot）：DwPTS、GPおよびUpPTSを含み、３つの特殊スロットの総長が１ｍｓとなる。アプリンク・ダウンリンクの切り替え周期が１０ｍｓとなるシステムに対して、１つ目のハーフフレームは４つの１ｍｓ長のサブフレームと３つの特殊スロット：DwPTS、GPおよびUpPTSを含み、２つ目のハーフフレームが５つの１ｍｓ長のサブフレームのみを有する。
その中で、特殊スロットDｗPTSの長さは配置類型によって決定され、かつサブフレーム０、サブフレーム５およびDwPTSはいつもダウンリンク伝送のために予め保留される。図２は、DwPTSスロットを示す図である。DwPTSスロットにおける１つ目あるいは、１つ目と２つ目のOFDM（Orthogonal Frequency Division Multiplexing：直交周波数分割）符号にてダウンリンク制御シグナリングが伝送され、３つ目のOFDM符号上の７２個の中心サブキャリアはいつもセルサーチ（Cell Search）ための主同期信号を伝送するために使われる。ブロードキャストPBCH以外、いずれのダウンリンクデータがこのスロット上の空いているリソースを占有して伝送を行うことができ、例えば物理ダウンリンク共有チャンネルPDSCH、物理マルチキャストチャンネルPMCHなどを搭載する。
【０００５】
現在、LTEシステムではダウンリンクビームフォーミング伝送に対して下記のような規定がある：
ビームフォーミングのユーザはユーザ専用の参照信号（UE-Specific reference signals）を利用して物理ダウンリンク共有チャンネルPDSCHを復調する；
ユーザ専用の参照信号はフォーミング伝送を利用したリソースブロックのみにマッピングされる；
上位層（ハイレイヤー）は、ユーザ専用の参照信号を使用したか否か、即ちビームフォーミング伝送を行うか否かを端末に通知することが必要となる；
ビームフォーミング伝送を行う時に、ポート０，１上のセル専用の参照信号（Cell-Specific reference signals）を保留し、ポート２，３上のセル専用の参照信号を利用しなくなる。
【０００６】
LTE TDDシステムに対しては、特殊スロットDwPTSはダウンリンクビームフォーミング伝送をサポートしてもよいが、しなかながら現在のLTEの標準においては、標準のサブフレームにてビームフォーミング伝送を行う時のユーザ専用の参照信号のマッピング仕様が提供されているが、特殊スロットDwPTSにてビームフォーミング伝送を行う時のユーザ専用の参照信号のマッピング仕様が定義されていない。
【発明の概要】
【発明が解決しようとする課題】
【０００７】
本発明の解決しようとする問題は、特殊スロットDwPTSにてビームフォーミング伝送を行うという問題を解決するビームフォーミング伝送の方法、システムおよび装置を提供することである。
【課題を解決するための手段】
【０００８】
上記の目的を実現するために、本発明はビームフォーミング伝送の方法が公開され、下記のステップを含む：基地局はDwPTSスロットに搭載される、ビームフォーミング伝送を必要とするユーザのダウンリンクデータおよびユーザ専用の参照信号を、予定マッピング構成にしたがってマッピングし、ビームフォーミング処理を行う；前記基地局は前記フォーミング処理の結果、主同期信号、制御シグナリング、セル専用の参照信号および他のユーザデータをリソースマッピングし、前記DwPTSスロットデータを作成する；前記基地局は前記DwPTSスロットデータを端末に送信する。
【０００９】
一方、本発明はビームフォーミング伝送の方法を提供し、端末は基地局がダウンリンク送信したDwPTSスロットデータを受信し、その中で、前記DwPTSスロットデータには前記フォーミング処理の結果、主同期信号、制御シグナリング、セル専用の参照信号および他のユーザデータが含まれ、前記フォーミング処理の結果は下記の方式で確定される：前記基地局は前記DwPTSスロットに搭載された、ビームフォーミング伝送を必要とするユーザダウンリンクデータおよびユーザ専用の参照信号を、予定マッピング構成にしたがってマッピングし、ビームフォーミング処理を行う。
【００１０】
一方、本発明はさらにビームフォーミング伝送のシステムを提供し、基地局および少なくとも１つの端末を含み、前記基地局は、DwPTSスロットに搭載された、ビームフォーミング伝送を必要とするユーザのダウンリンクデータおよびユーザ専用の参照信号を、予定マッピング構成にしたがってマッピングし、ビームフォーミング処理を行うとともに、前記フォーミング処理の結果、主同期信号、制御シグナリング、セル専用の参照信号および他のユーザデータをリソースマッピングし、前記DwPTSスロットデータを作成するために使われる；前記端末は、前記DwPTSスロットデータを受信するために使われる。
【００１１】
一方、本発明は基地局を提供し、データ処理モジュールおよび送信モジュールを含み、前記データ処理モジュールは、DwPTSスロットに搭載される、ビームフォーミング伝送を必要とするユーザのダウンリンクデータおよびユーザ専用の参照信号を、予定マッピング構成にしたがってマッピングし、ビームフォーミング処理を行うとともに、前記フォーミング処理の結果、主同期信号、制御シグナリング、セル専用の参照信号および他のユーザデータをリソースマッピングし、前記DwPTSスロットデータを作成するために使われる；前記送信モジュールは、前記データ処理モジュールにて得られた前記DwPTSスロットデータを端末に送信する。
【００１２】
現在の標準においては、標準のサブフレームはビームフォーミング伝送の時にユーザ専用の参照信号のマッピング仕様では密度が比較的に高く、DwPTS上でフォーミングを行う場合、依然として同じ数の参照信号を利用すれば、システムのコストが大きすぎることになる。本発明はコスト、検出性能および実用に関する問題を総合的に考慮し、上記の技術的手段を提供した。本発明の技術的手段は下記の利点を有する：本発明の技術的手段はユーザ専用の参照信号のマッピング構成を余分に増加することがなく、本発明の技術的手段を利用すれば、特殊スロットDwPTSにてビームフォーミング伝送を行うことを実現し、システム性能を向上することができるとともに、新たなユーザ専用の参照信号のマッピング構成を導入する必要がなくなり、その実現が簡単である。
【図面の簡単な説明】
【００１３】
【図１】TDDフレームを示す図である。
【図２】DwPTSスロットを示す図である。
【図３】ビームフォーミングを実現する方法の流れ図である。
【図４】DwPTSスロットビームフォーミング処理を実現する流れ図である。
【図５】ユーザ専用の参照信号のマッピング構成である。
【図６】Normal CPのDｗPTSスロットの配置が異なるマッピング構成である。
【図７】Extended CPのDｗPTSスロットの配置が異なるマッピング構成である。
【図８】ビームフォーミング伝送のシステム機能構成図である。
【発明を実施するための形態】
【００１４】
以下、図面および実施例を結合して本発明の具体的な実施形態をさらに詳細的に記述する：
【００１５】
本発明は主に、ビームフォーミング伝送の方法、システムおよび装置を提供し、特殊スロットDwPTSにてビームフォーミング伝送を実現し、本発明の技術的手段はシステム性能を向上できるとともに、新たなユーザ専用の参照信号のマッピング構成を導入する必要がなく、その実現が簡単である。
【００１６】
本発明の目的を実現するために、本発明は、ビームフォーミング伝送の方法を提供し、下記のステップを含む：基地局はDwPTSスロットに搭載される、ビームフォーミング伝送を必要とするユーザのダウンリンクデータおよびユーザ専用の参照信号を、予定マッピング構成にしたがってマッピングし、ビームフォーミング処理を行う；前記基地局は前記フォーミング処理の結果、主同期信号、制御シグナリング、セル専用の参照信号および他のユーザデータをリソースマッピングし、前記DwPTSスロットデータを作成する；前記基地局は前記DwPTSスロットデータを端末に送信する。
【００１７】
図３に示すように、ビームフォーミング方法を実現するための流れ図である。下記のステップを含む：
ステップA：DwPTSスロットに搭載された、ビームフォーミング伝送を必要とするユーザデータおよびユーザ専用の参照信号を、予定マッピング構成にしたがってマッピングし、ビームフォーミング処理を行う。
【００１８】
具体的に、ステップAにおいては、予定マッピング構成がDwPTSスロットに搭載されるOFDM符号数に依存し、搭載される異なるOFDM符号数が、異なるマッピング構成に対応する。
【００１９】
さらに、DwPTSスロットに搭載されるOFDM符号数は、前記OFDM符号のサイクルプレフィックスCPの類型およびDwPTSスロットの具体的な配置に依存する。通常は、基地局はサイクルプレフィックスCPの類型およびDwPTSスロットの具体的な配置に基づいて、DwPTSスロットの長さT、および１つのOFDM符号の長さToを確定し、DwPTSスロットに搭載されるOFDM符号数ｎを取得する。ただしｎ＝T／To。
【００２０】
例えば、予定マッピング構成にしたがったマッピングは下記のステップを含む：
基地局はサイクルプレフィックスCPの類型に基づいて、ユーザ専用の参照信号のマッピング構成を確定する；
基地局は、ユーザ専用の参照信号のマッピング構成におけるｎ個目以後のOFDM符号を打ち消し、ユーザ専用の参照信号のマッピング構成における前ｎ個のOFDM符号のみを保留して予定マッピング構成とする；
基地局は、該ユーザに割り当てる物理リソースブロックにおいて、ダウンリンクデータおよびユーザ専用の参照信号を、前記予定マッピング構成に従ってマッピングする。
ステップB：フォーミング処理の結果、主同期信号、制御シグナリング、セル専用の参照信号および他のユーザデータをリソースマッピングし、DwPTSスロットデータを作成する。
ステップBおいては、伝送フォーマットに符合したDwPTSスロットデータを形成することになる。現在のシステムと互換できるようにするために、例えば制御シグナリングがDwPTSスロットにおける１つ目あるいは、１つ目および２つ目のOFDM符号で伝送され、主同期信号が前記DwPTSスロットにおける３つ目のOFDM符号の中心の７２個のサブキャリアで伝送される。
ステップC：DwPTSスロットデータを伝送する。
基地局は、DwPTSスロットにてビームフォーミング伝送を行えるDwPTSスロットデータを端末に送信する。それに応じて、端末は基地局が送信した、ビームフォーミング伝送特性を有するDwPTSスロットのデータを受信する。
【００２１】
このため、一方本発明はビームフォーミング伝送の方法を提供し、端末は基地局がダウンリンク伝送したDwPTSスロットデータを受信し、ただし前記DwPTSスロットデータにはフォーミング処理の結果、主同期信号、制御シグナリング、セル専用の参照信号および他のユーザデータが含まれ、前記フォーミング処理の結果は下記の方式で確定される：前記基地局は前記DwPTSスロットに搭載される、ビームフォーミング伝送を必要とするユーザのダウンリンクデータおよびユーザ専用の参照信号を、予定マッピング構成にしたがってマッピングし、ビームフォーミング処理を行う。
【００２２】
前記の方法の実施例として、端末が受信したDwPTSスロットデータにおける予定マッピング構成は前記DwPTSスロットに搭載されたOFDM符号数に依存する。
【００２３】
前記方法の実施例として、端末が受信したDwPTSスロットデータに搭載されたOFDM符号数はOFDM符号のサイクルプレフィックスCPの類型およびDwPTSスロットの具体的な配置に依存する。具体的に、基地局はサイクルプレフィックスCPの類型およびDwPTSスロットに基づいて、DwPTSスロットの長さTおよび１つのOFDM符号の長さToを確定し、DwPTSスロットに搭載されるOFDM符号数ｎを取得する。ただしｎ＝T/To。
【００２４】
例えば、前記方法の実施例として、端末が受信したDwPTSスロットデータにおける予定マッピング構成を実現するマッピングは下記のステップを含む：
基地局は、サイクルプレフィックスCPの類型に基づいて、ユーザ専用の参照信号のマッピング構成を確定する；
基地局は、ユーザ専用の参照信号のマッピング構成におけるｎ個目以後のOFDM符号を打ち消し、ユーザ専用の参照信号のマッピング構成における前ｎ個のOFDM符号のみを保留して予定マッピング構成とする；
基地局は、該ユーザに割り当てた物理リソースブロック上で、ダウンリンクデータおよびユーザ専用の参照信号を、前記予定マッピング構成に従ってマッピングする。
【００２５】
現在のシステムと互換できるようにするために、端末が受信したDwPTSスロットデータにおける制御シグナリングがDwPTSスロットにおける１つ目、あるいは１つ目および２つ目のOFDM符号にて伝送され、主同期信号がDwPTSスロットにおける３つ目のOFDM符号の中心の７２個サブキャリアにて伝送される。
【００２６】
本発明をさらに記述するために、図４に、本発明で実現したDwPTSスロットビームフォーミング処理の具体的な実施例の流れ図を示す。該実施例のビームフォーミング伝送の方法は具体的に下記の流れを含む：
S１０１、伝送フレームのフォーマットを確定する。今現在、LTE TDDシステムにおける特殊スロットDwPTSについて、その長さはシステムの構成に基づいて設定することができる。本発明の実施例として、表１ではDwPTSスロットの各配置状況が提供されており、一般のNormal CPサブフレームにおける各OFDM符号の長さが２１９２×Tsとなり、全体のサブフレームには合計１４個OFDM符号が含まれる；拡張Extended CPサブフレームにおける各OFDM符号の長さが２５６０×Tsとなり、全体のサブフレームには合計１２個のOFDM符号が含まれる。計算によってわかるように、Normal CPが搭載されるOFDM符号のサブフレームについて、DwPTSスロットでは３，９，１０，１１，１２個のOFDM符号が搭載でき、５つの異なる状況が存在する；Extended CPが搭載されるサブフレームについて、DwPTSスロットでは３，８，９，１０個のOFDM符号が搭載でき、４つの異なる状況が存在する。いずれかの状況に対しても、DｗPTSスロットにおける１つ目、あるいは１つ目および２つ目のOFDM符号にてダウンリンク制御シグナリングが伝送され、３つ目のOFDM符号上の７２個の中心サブキャリアがいつもセルサーチ（Cell Search）を行う主同期信号を伝送するためのものとなる。ブロードキャストPBCH以外、いずれのダウンリンクデータがこのスロット上の空いているリソースを占有して伝送を行うことができ、例えば物理ダウンリンク共有チャンネルPDSCH、物理マルチキャストチャンネルPMCHなどを搭載する。
【００２７】
表１  特殊スロット配置状況
【表１】
2011523540.tif 000003
【００２８】
このため、基地局はまず伝送フレームフォーマットを確定し、現在のDwPTSスロットに搭載されるOFDM符号のCPがNormal類型（標準型）か、あるいはExtended類型（拡張型）かを判断する。これは、異なるCP類型に対して、DwPTSスロットの配置状況が異なるからである。
【００２９】
S102、DwPTSスロットの配置を確定する。本発明の実施例として、表１により、S101の後、基地局は異なるCP類型に対して、DwPTSスロットに搭載されるOFDM符号数を確定する。本発明の実施例として、基地局はCPの類型によって、DwPTSスロットの具体的な配置に基づいて、表１を参考とし、DwPTSスロットの長さTおよび１つのOFDM符号の長さToを確定でき、これにより、基地局はDwPTSスロットに搭載されるOFDM符号数ｎを取得できる。ただしｎ＝T/To。基地局は、DwPTSスロットに搭載された、ビームフォーミング伝送を必要とするユーザのダウンリンクデータおよびユーザ専用の参照信号を、予定マッピング構成に従ってマッピングし、ビームフォーミング処理を行う。
【００３０】
当業者の常識により、DwPTSスロットの配置は本実施例の表１のモードに限るわけでなく、DwPTSスロットの配置パラメータを色々に調整することができ、これらの変化が本発明の保護範囲に含まれる。
【００３１】
S103、予定マッピング構成のリソースマッピングを行う。特殊DwPTSに対してビームフォーミング伝送を行い、つまり基地局はDwPTSスロットに搭載される、ビームフォーミング伝送を必要とするユーザのダウンリンクデータおよびユーザ専用の参照信号を、予定マッピング構成に従ってマッピングし、ビームフォーミング処理を行う。S101の後に、基地局はDwPTSスロットにおけるOFDM符号のサイクルプレフィックスCPの類型をすでに確定した。本発明の実施例として、異なるCP類型に対して、異なるユーザ専用の参照信号のマッピング構成があり、ここでいうユーザ専用の参照信号のマッピング構成は該ユーザにより標準のサブフレームにてビームフォーミングを行う時に利用されるユーザ専用の参照信号のマッピング構成である。図５に示すように、ユーザ専用の参照信号のマッピング構成となる。その中で、左図AはNormal CPのユーザ専用の参照信号のマッピング構成となり、右図BはExtended CPのユーザ専用の参照信号マッピング構成となる。セル専用の参照信号は各ダウンリンクサブフレームの各々にて伝送され、周波数領域では全体のシステム帯域幅を覆い、時間では全体のダウンリンクサブフレームに跨り、図面における格子が付けられた四角形部分はポート０，１上のセル専用の参照信号を示す。ユーザ専用の参照信号はユーザに割り当てた、ビームフォーミングを行う物理リソースブロックにおけるデータ部で使われ、セル専用の参照信号と同時に１つのサブフレームに存在するときに、図５に示す方式に従って多重する。ただしR5がユーザ専用の参照信号を示す。
【００３２】
このため、基地局はサイクルプレフィックスCPの類型のみに基づいて、ユーザ専用の参照信号のマッピング構成を確定できる。
【００３３】
S102の後に、基地局はOFDM符号数ｎを判断し確定する。基地局は前記ユーザ専用の参照信号のマッピング構成におけるｎ個目以後のOFDMを打ち消し、相応するユーザ専用の参照信号のマッピング構成における前のｎ個のOFDM符号を保留して予定マッピング構成とする。その後、基地局は該ユーザに割り当てた物理リソースブロック上で、ビームフォーミング伝送を必要とするユーザのダウンリンクデータおよびユーザ専用の参照信号を打ち消し後の残ったマッピング構成に従ってマッピングする。
【００３４】
本発明の実施例として、図６に示すように、Normal CPのDwPTSスロットの異なる配置モードのマッピング構成となり、その中で、それぞれはDwPTSスロットに１２，１１，１０，９個のOFDM符号が搭載された時の、余分なOFDM符号を打ち消した後のマッピング構成である。図７に示すように、Extended CPのDwPTSスロットの異なる配置モードのマッピング構成となり、その中で、それぞれはDwPTSスロットに１０，９，８個のOFDM符号が搭載された時の、余分なOFDM符号を打ち消した後のマッピング構成である。その中では、格子が付けられた四角形部分はセル専用の参照信号を示す。ただしR5がユーザ専用の参照信号を示す。このため、打ち消したOFDM符号には、データ符号が搭載されたリソースユニット以外に、ユーザ専用の参照信号が搭載されたリソースユニットも含むことが出来る。
【００３５】
S104、ビームフォーミング処理を行う。DwPTSスロットに搭載される、ビームフォーミング伝送を必要とするユーザのダウンリンクデータおよびユーザ専用の参照信号に対して、S103の後、基地局はダウンリンクデータおよびユーザ専用の参照信号を同じフォーミングマトリクスを用いてビームフォーミングを行い、フォーミングデータを取得する。
【００３６】
S105、リソースマッピングを行う。本発明の実施例として、システムは物理リソースブロックをユニットとしユーザにリソースを割り当て、各物理リソースブロックには１２個のサブキャリアが含まれる。基地局は、フォーミングマトリクスによって得られたフォーミングデータ、主同期信号、制御シグナリング、セル専用の参照信号および他のユーザデータをリソースマッピングし、DwPTSスロットデータを作成し、その中で、制御シグナリングがDwPTSスロットにおける１つ目、あるいは１つ目および２つ目のOFDM符号にて伝送され、主同期信号がDwPTSスロットにおける３つ目のOFDM符号の中心の７２個のサブキャリアにて伝送される。DwPTSスロットには複数のダウンリンクユーザデータが存在することが可能なため、他のユーザデータが本発明の上記に記述されたビームフォーミング伝送の方法でいくつかの物理リソースブロックにて伝送されてよいが、もちろん、他のユーザデータがビームフォーミングを利用せず他の物理リソースブロックにて伝送してもよい。
【００３７】
もちろん、当業者の常識によっては、ユーザ専用の参照信号のマッピング構成は本実施例に図示されたモードに限ることがなく、ユーザ専用の参照信号のマッピング構成を色々に調整しても、本発明の技術的手段が依然として適用でき、これらの変化が本発明の保護範囲に含まれるべきである。
【００３８】
図８は、本発明が提供したビームフォーミング伝送のシステム機能構成図である。該システムは基地局および少なくとも１つの端末を含む。その中で、基地局１００はDwPTSスロットに搭載された、ビームフォーミング伝送を必要とするユーザのダウンリンクデータおよびユーザ専用の参照信号を、予定マッピング構成に従ってマッピングし、ビームフォーミング処理を行うとともに、フォーミング結果、主同期信号、制御シグナリング、セル専用の参照信号および他のユーザデータをリソースマッピングし、DwPTSスロットデータを作成するために使われる；端末２００はDwPTSスロットデータを受信するために使われる。
【００３９】
その中で、本発明の基地局１００は、データ処理モジュール１１０および送信モジュール１２０を含む。データ処理モジュール１１０は、DwPTSスロットに搭載された、ビームフォーミング伝送を必要とするユーザのダウンリンクデータおよびユーザ専用の参照信号を、予定マッピング構成に従ってマッピングし、ビームフォーミング処理を行うとともに、フォーミング処理の結果、主同期信号、制御シグナリング、セル専用の参照信号および他のユーザデータをリソースマッピングし、DwPTSスロットデータを作成するために使われる；送信モジュール１２０はデータ処理モジュール１１０によって得られたDwPTSスロットデータを端末２００に送信する。
【００４０】
本発明の最適な方法として、データ処理モジュール１１０はさらに判断モジュール１１１、リソースマッピングモジュール１１２およびフォーミング処理モジュール１１３を含む。判断モジュール１１１は、DwPTSスロットに搭載されたOFDM符号数を取得し、OFDM符号のサイクルプレフィックスCPの類型およびDwPTSスロットの具体的な配置に基づいて、DwPTSスロットの長さTおよび１つのOFDM符号の長さToを確定し、DwPTSスロットに搭載されたOFDM符号数ｎを取得するために使われる。ただしｎ＝T/Toとなる；リソースマッピングモジュール１１２は、DwPTSスロットに搭載された、ビームフォーミング伝送を必要とするユーザのダウンリンクデータおよびユーザ専用の参照信号を予定マッピング構成に従ってマッピングし、フォーミング処理モジュール１１３によってフォーミング処理の結果を取得するとともに、フォーミング結果、主同期信号、制御シグナリング、セル専用の参照信号および他のユーザデータをリソースマッピングし、DwPTSスロットデータを作成するために使われる；フォーミング処理モジュール１１３は、リソースマッピングモジュール１１２によって予定マッピング構成に従ってマッピングした、ダウンリンクデータおよびユーザ専用の参照信号に対してフォーミング処理を行う。
【００４１】
本発明の最適な方法として、リソースマッピングモジュール１１２は、構成選択モジュール１１２１および構成マッピングモジュール１１２２を含む。構成選択モジュール１１２１は、サイクルプレフィックスCPの類型に基づいて、ユーザ専用の参照信号のマッピング構成を確定するために使われる；構成マッピングモジュール１１２２は、前記ユーザ専用の参照信号のマッピング構成におけるｎ個以後のOFDM符号を打ち消して、ユーザ専用の参照信号のマッピング構成における前ｎ個のOFDM符号のみを保留し、予定マッピング構成とするとともに、ダウンリンクデータおよびユーザ専用の参照信号を、ユーザに割り当てた物理リソースブロック上で予定マッピング構成にしたがってマッピングするために使われる。
【００４２】
当業者は、前記実施例を実現する方法に含まれる全部あるいは一部のステップがプログラムによって関連するハードウェアに指令して実行されることを理解できる。前記プログラムはコンピュータが可読な記録媒体に記憶することが可能であり、該プログラムは実行時に、方法に関する実施例のステップの１つあるいはその組み合わせを含む。
【００４３】
これ以外に、本発明は、各実施例における各機能ユニットが１つの処理モジュールに集積してもよく、各ユニットが物理的に単独に存在してもよく、また２つあるいは２つ以上のユニットが１つモジュールに集積してもよい。前記集積のモジュールは、ハードウェアの形式で実現してよく、ソフトウェアの機能モジュールの形式で実現してもよい。前記の集積のモジュールがソフトウェア機能モジュールの形式で実現され独立な製品として販売あるいは使用されれば、コンピュータが可読な記憶媒体に記憶されてもよい。前述した記憶媒体は、読み取り専用のメモリ、磁気ディスク、あるいは光ディスクなどであってもよい。
【００４４】
以上に記述されたのは本発明の最適な実施形態となる。表明すべきことは、当業者にとっては、本発明の原理を超えない前提で、さらにいくつかの改良および修飾を行え、これらの改良および修飾も本発明の保護範囲と認めるべきである。
【図１】
2011523540.tif 000004
【図２】
2011523540.tif 000005
【図３】
2011523540.tif 000006
【図４】
2011523540.tif 000007
【図５】
2011523540.tif 000008
【図６】
2011523540.tif 000009
【図７】
2011523540.tif 000010
【図８】
2011523540.tif 000011
【国際調査報告】
2011523540.tif 000012
2011523540.tif 000013
2011523540.tif 000014
2011523540.tif 000015
2011523540.tif 000016